【事件の表示】
　特許第３１１３５０４号「電気掃除機」の請求項１ないし３に係る特許に対する特許異議の申立てについて、次のとおり決定する。
【結　論】
　訂正を認める。
　特許第３１１３５０４号の請求項１ないし３に係る特許を取り消す。
【理　由】
〔１〕本件特許及び本件特許異議事件についての手続の経緯
　本件特許及び本件特許異議事件（特許第３１１３５０４号（以下「本件特許」という。）異議申立て）に係る手続の経緯の概要は、以下のとおりである。
１) 本件特許の出願日：平成６年６月２３日
２) 特許権の設定の登録：平成１２年９月２２日
３) 特許掲載公報の発行：平成１２年１２月４日
４) 特許異議の申立て(全請求項)（異議申立人・松下電器産業株式会社）：平成１３年３月９日付け
５) 口頭による審尋：平成１３年１０月１８日
９) 口頭審理：平成１３年１０月１８日
10) 取消理由通知：平成１３年１０月２２日付け（発送日：同年１１月２日）
11) 特許異議意見書（特許権者）：平成１３年１２月２５日付け
12）訂正請求：平成１３年１０月１８日
　　
〔２〕訂正事項と訂正の適否についての判断
１．本件訂正請求における訂正事項は、以下のとおりである。
(１)特許請求の範囲の請求項１〜請求項３を下記のように訂正する。
「請求項１
  前部に
上面を開口した
前記集塵室の前壁
集塵室前壁
　請求項２
　前部に
上面を開口した
前記集塵室の前壁
集塵室前壁
　請求項３
　前部に
上面を開口した
前記集塵室の前壁
集塵室前壁
(２)上記請求項の訂正に伴い、発明の詳細な説明の対応箇所（段落０００６、０００７、０００８）を、特許請求の範囲の記載と整合するように訂正する。
　
２．そこで、訂正事項について検討すると、訂正事項は、訂正前の請求項１〜３に係る電気掃除機において、集塵室が「上面を開口した集塵室」である点、集塵室に連通する吸気口が「集塵室の前壁」に形成されている点、インジケーターが配置された位置を「集塵室前壁」とカバーとで囲まれる空間内の吸気口上方である点、を各々明りょうにしたものであるから、これらの訂正は、特許法第１２０条の４第２項ただし書第３号にいう明りょうでない記載の釈明に該当するものと認められる。（なお、請求人は、特許請求の範囲の減縮を目的とするものであると主張するが、その主張は採用できない。）
　そして、上記各構成は、願書に添付した明細書の段落「００１０」「００１１」「００２１」などの記載に照らして、願書に添付した明細書に記載した事項の範囲内においてしたものと認められ、かつ、実質上特許請求の範囲を拡張し又は変更するものでもないと認められるので、同条第３項で準用する第１２６条第２項及び第３項の規定にも適合する。
  したがって、本件訂正はこれを認める。
　
〔３〕取消理由についての判断
１．本件請求項１に係る発明は、訂正された明細書の記載からみて、その特許請求の範囲の請求項１〜３に記載された「電気掃除機」にある（前掲）。
　そして、訂正された明細書の記載によれば、本件発明は、「従来、集塵量を示すインジケーターを備えた電気掃除機においては、インジケーターを集塵室上部や電動送風機収納室上部に配設したものが一般的であった。しかしながら、例えば特開平4-215735号公報(A47L 9/19)に開示される如く、インジケーターを集塵室上方を被う集塵蓋に配設した場合、インジケーターを配設するスペースのために、集塵容量が小さくなる欠点があるとともに、インジケーターを支持する部品が必要となり、部品点数が多くなる問題があった。また、例えば特開平４−２４０４２５号公報(A47L 9/19)に示される如く、電動送風機収納室上方にインジケーターを設けた場合、掃除中、使用者は掃除機本体とは離れた場所、即ち一般的に掃除機本体よりも前方にいるため、使用者がインジケーターを視認しにくくい欠点がある。」（段落０００２〜０００４）ことに鑑みて、「部品点数を削減し、集塵容量を減少させることのない電気掃除機を提供すること」（段落０００５）を発明の課題としたものであって、本件各発明によれば、「インジケーターを、掃除機本体の集塵室よりも前方に配設することにより、集塵室の集塵容積が減少するのを防止できる。また、インジケーターが臨む表示部を、インジケーターが配設される空間の上方または上方角部の集塵蓋より前方位置に形成したので、掃除中に使用者が塵埃が溜まったことを容易に視認でき、使用性を向上できる。」（請求項１に係る発明）、「インジケーターを、掃除機本体の集塵室よりも前方に配設することにより、集塵室の集塵容積が減少するのを防止できる。また、インジケーターが臨む表示部を、インジケーターが配設される空間の上方または上方角部の集塵蓋より前方位置に形成したので、掃除中に使用者が塵埃が溜まったことを容易に視認でき、使用性を向上できる。さらに、インジケーターを掃除機本体前部とカバーとの間で挟持することにより、インジケーターを支持する部品を必要とせず、部品点数を削減できる等の効果を奏する。」（請求項２に係る発明）、「インジケーターを、掃除機本体の集塵室よりも前方に配設することにより、集塵室の集塵容積が減少するのを防止できる。また、インジケーターが臨む表示部を、インジケーターが配設される空間の上方または上方角部の集塵蓋より前方位置に形成したので、掃除中に使用者が塵埃が溜まったことを容易に視認でき、使用性を向上できる。」（請求項３に係る発明）という効果を奏するというにあるものと認められる。
　
２．これに対して、当審における平成１３年５月２４日付けの取消理由通知書に示した引用文献には、それぞれ以下の点が記載されている。
(１)引用文献１：米国特許第３８５３０８６号明細書
　米国特許第３８５３０８６号明細書（以下「引用例１」という。）には、「電気掃除機」について図１〜２とともに、以下の事項が記載されている。
 (a)「図面には掃除機９のケーシング１１の一部分である前カバー１０が示されている。前カバー１０は中央開□部１６に取り付けられ、該部位からは中空のチューブ状部材１３が内方に伸びている。吸引ホース（図示せず）は、適切な方法によって取り外し可能に該チューブ状部材に取り付ける。塵を含んだ空気は、集塵器８に隣接して設けたモーター／ファン・ユニット（図示せず）によって、吸引ホース及びケーシング内部のチューブ状部材１３の吸気路１５を通って取り込まれる。吸い込まれた空気は、後部カバーにある開口部（図示せず）を通して掃除機９の外部へ吐き出される。ケーシング１１の内部には、集塵器８を取り付けるためのスペース１２が設けられている。集塵器８は、例えば紙のような通気性のある材質によって形成された袋状フィルター７、及び、穴５を有する取付けプレート６を備えている。袋状フィルター７の開口端部は、プレート６に取り付けられており、プレート６は集塵器の端部カバーの働きをしている。図１に示されているように、該プレート６はスペース１２内の壁部分に取外し可能に取り付けられている。同時にチューブ状部材１３は、プレート６の穴部５を貫いて（内方へ）突出している。チューブ状部材には、該部材をプレート６に対して気密に保つための封止リング１４が設けられている。」（第１欄第６２行〜第２欄第２０行）
 (b)「本発明を具体化している信号発信装置は、前カバーに装備されている。該装置は例えばブラスティックのような透明な材質からなるシリンダー１７と該シリンダー内で作動するピストン１８を有する。ピストン１８の両端にはパッキング１９が設けてある。取付け手段２０，２１，２２及び２３によって、スプリング２４はピストン１８と前カバー１０の部分２５とに取着されている。図２に示すように、該スプリングはピストン１８が初期位置に戻る方向に作用する。ピストン１８がシリンダー１７に対して相対的に回転するのを避けるため、ピストンは突出部２６を有し、該突出部はスリーブ２８の満２７に嵌合させてある。カバー１０は例えばプラスティックのような透明な材質からなる覗きガラス体２９を有する。該ガラス体と透明シリンダー１７を通じて、ピストン１８の位置を目で確認することができる。そのため、ピストン１８には適切な指標または記号１８’がピストンの外側につけられている。これらの指標等は異なった色の図形、記号あるいは範囲である。」（第２欄第２１〜４１行）
 (c)「図２に示すように、シリンダー１７の左端は流路３９に連結されている。カバー１０が図１に示した位置にあるとすると、流路３９は別の流路３９ａを介して、集塵器の外側にあるケーシング１１のスペース１２と蓮通する。シリンダー１７の右端には、流路４１と運通した流路４０が配設してある。流路４１はカバー４３の厚壁部位４２に形成されており、該部位は信号発信装置の近傍に位置している。流路４１は環状流路４４と連通しているが、チューブ状部材１３を包囲し該流路４４には環状フィルター４５を設けてある。信号発信装置はフィルター４５及び流路４６を介して、吸気路１５と運通している。従って、集塵器の吸引側と排気側の間の差圧がピストン１８に作用する。」（第３欄第３〜２０行）（日本語訳：特許異議申立書中の甲第２号証抜粋翻訳、参照）
　
(２)引用文献２：特開昭６０−７７７２５号公報
　特開昭６０−７７７２５号公報（以下「引用例２」という。）には、「電気掃除機」について第１〜４図とともに、以下の事項が記載されている。
 (a)「(１)は電気掃除機で、この電気掃除機(１)は、電動送風機(２)を内包する本体ケース(３)内の一側に集塵ケース(４)を有している。上記集塵ケース(４)は一側に吸込口(５)を有し、他側に上記本体ケース(３)内の電動送風機(２)に連通する送気口(６)を有し、かつ上側に開口部(７)を有するとともに、この開口部(７)に開閉自在の蓋(８)を取付けてある。また、集塵ケース(４)内の上記吸込口(５)側に、この吸込口(５)の内側を周囲を囲むように集塵袋取付板(９)が取り付けてあり、この集塵袋取付板(９)は中央の穴に上記吸込口５をシールする管状のシールパッキン(10)を嵌合しているとともに、…また、上記吸込口(５)の上方となる集塵ケース(４)の一側の上部に枠状の把手(14)を設けてあり、この把手(14)は中空の管状に形成されている。」（第２頁左下欄第５行〜右下欄第１０行）
 (b)「(31)は上記集塵袋(21)内に集められるごみの詰まり具合を表示するインジケー夕で、このインジケータ(31)は集塵袋(21)が上記集塵ケース(４)内に装着されているか否かを検知する検知装置を一体に形成している。そして、このインジケータ(31)は、上記管状の把手(14)の上面に表示孔(32)を穿設するとともに上記把手(14)の基部と上記集塵ケース(４)との接続部に管状のインジケータパッキン(33)を設け、さらに、上記表示孔(32)とインジケータパッキン(33)との間に、上記表示孔(32)の下方に位置し、かつ、一端が上記インジケータパッキン(33)に接続した管状のシリンダ(34)を設けて上記集塵ケース(４)内からインジケータパッキン(33)、シリンダ(34)、把手(14)内および表示孔(32)を介して集塵ケース(４)外の大気側に連通するように形成した連通孔(35)と、この連通孔(35)を形成する上記シリンダ(34)内摺動自在に挿入され、棒状のピストン軸(36)の一端に径大のピストンヘッド(37)を有し、このピストンヘッド(37)と上記インジケータパッキン(33)との間に設けた第１のコイルばね(38)により、上記連通孔(35)における大気側に付勢されたピストン(39)と、…ストッパ(40)とを備えている。上記シリンダ(34)はアクリルなど透明な合成樹脂で形成してあり、・・・」（第３頁左上欄第９行〜左下欄第７行）
 (c)「集塵袋(21)を装着するため、口枠(23)を集塵袋取付機(９)に取付けると口枠(23)がストッパ(40)の一端に当接して第２のコイルばね(46)に抗してストッパ(40)を押すのでこのストッパ(40)の他端部に係止されていたピストン(39)が第１のコイルばね(38)によって押されて大気側であるシリンダ(34)の他端側に枢動してピストンヘッド(37)が環状突起(44)に当接しピストン穴(45)を塞ぎ連通孔(33)内を流れる空気流を遮断する。従ってこの状態で笛(41)は鳴らなくなる。数回の掃除の後、ごみが集塵袋(21)内に詰まってくると吸込口(５)からの吸引力が減退するとともに集塵ケース(４)内の負圧力が大きくなるので、この負圧力が第１のコイルばね(38)の付勢力より大きくなると、ピストン(39)が第１のコイルばね(38)の付勢力に抗して集塵ケース(４)内の内側に向かって吸引されシリンダ(34)内面の環状突起(44)からピストンヘッド(37)が離脱してピストン穴(45)を開放する。従って連通孔(35)内を集塵ケース(４)外から集塵ケース(４)内へ空気が流れるので笛(41)が鳴るとともに、上記ピストンヘッド(37)が表示孔(32)の下方まで摺動して赤色の表示をしてごみ詰まりを知らせる。また、上記インジケータ(31)は吸込口(５)を設けた集塵ケース(４)の一側に把手(14)を設け、この把手(14)の上面に表示孔(32)を設けているため、使用中において吸込口(５)側が前側となりこの表示孔(32)が見やすい。」（第４頁左上欄第１４行〜左下欄第９行）
　
３．引用文献１の上記記載と図１〜２によれば、引用文献１のものは、ケーシング１１の前部に前カバー１０を設け、この前カバー１０の空間内に集塵量表示用の信号発生装置を配設し、前カバー１０の前部上面にガラス体２９を配し、信号発生装置の表示を視認できるようにした電気掃除機であり、集塵量によって変化するピストン１８（インジケーター）を袋状フィルター７（集塵室）より前方に配置し、その上方に透明な覗きガラス体２９（表示部）を形成することによって、掃除中に使用者が塵埃が溜まったことを容易に視認できるようにしたという基本構成において、本件請求項１に係る発明の電気掃除機と共通するものと認められる。
  一方、両者は、(ア)本件請求項１に係る発明では、集塵室の上面に開口を有し、集塵室の上面開口を開閉自在に閉塞する集塵蓋を有するのに対して、引用文献１のものは集塵室上面は開口されておらず、集塵蓋についても明示がない点、(イ)本件請求項１に係る発明では、後部に電動送風機を収納する電動送風機収納室が形成されるのに対して、引用文献１のものは、電動送風機収納室が掃除機本体の後部にある点が明示されていない点、(ウ)本件請求項１に係る発明では、集塵室前壁に集塵蓋に連通する吸気口が形成されており、インジケーターが集塵室の前壁とカバーとで囲まれる空間内の吸気口上方でかつ集塵室より前方に配置されているのに対して、引用文献１のものは、「集塵室前壁」が明確に記載されておらず、したがって、インジケーター（ピストン１８）の位置が本件請求項１に係る発明と同一であるか明確でない点、などにおいて相違するものと認められる。
　
４．そこで、これら相違点について検討する。
(１)前部に集塵室、後部に電動送風機を収納する電動送風機収納室が形成され、集塵室の上面に開閉自在の集塵蓋が設けられた電気掃除機は、引用文献２に記載されたものもそうであるように、本件特許の出願前周知の構成にすぎないので、それらの相違点は当業者が適宜なし得ることにすぎない。また、引用文献１の図１も参酌すると、引用文献１のものでは、集塵室に相当する袋状フィルター７の開口端部はプレート６に取り付けられていて、プレート６は、集塵器８の端部カバーの機能を奏するものと認められ、プレート６には穴部５が形成されているので、引用文献１のプレート６は、実質的に本件請求項１に係る発明の集塵室前壁に相当し、さらに、引用文献１の前カバー１０は、中央開口部１６に取り付けられており、該部位から中空のチューブ状部材１３が内方に伸びているので、引用文献１の前カバー１０は、実質的に本件請求項１に係る発明のカバーに相当するといい得る。
　本件請求項１に係る発明は、「インジケーターを、掃除機本体の集塵室よりも前方に配設することにより、集塵室の集塵容積が減少するのを防止できる。また、インジケーターが臨む表示部を、インジケーターが配設される空間の上方または上方角部の集塵蓋より前方位置に形成したので、掃除中に使用者が塵埃が溜まったことを容易に視認でき、使用性を向上できる。」（段落００２４）というものであるが、引用文献１のものにおいても、インジケーター（ピストン１８）が掃除機本体の集塵室よりも前方に配設されているから、集塵室の集塵容積の減少が防止でき、また、インジケーターが臨む表示部を、インジケーターが配設される空間の上方ないし上方角部の集塵蓋より前方位置に形成されているので、掃除中に使用者が塵埃が溜まったことを容易に視認でき、使用性を向上できるという効果が奏せられるものと認められる。
　したがって、仮に細かな構成において差違があるとしても、それらは、もとより本質的な相違点ではなく、当業者が容易になし得る程度の設計上の微差と言うのが相当である。
(２)次に、本件請求項２に係る発明は、請求項１に係る発明に対して、インジケーターを掃除機本体前部とカバーとの間で挟持するようにしたものであり、その付加された構成により、「インジケーターを支持する部品を必要とせず、部品点数を削減できる等の効果を奏する。」（段落００２５）というものであるが、挟持して取り付ける手段は機械設計の分野において周知慣用の手段にすぎないので、インジケーターの支持手段として、他の支持部品を用いず掃除機本体前部とカバーとの間で直接挟持することは当業者が容易になし得る設計的事項というべきであり、その効果も当業者が容易に予測し得ることにすぎない。
(３)本件請求項３に係る発明は、請求項１に係る発明に対して、インジケーターを、一端が集塵室内に連通し他端が大気に連通する透明な筒状部材と、該筒状部材内に摺動自在に配設された指示部材と、前記筒状部材内を集塵室と大気とが非連通になるように筒状部材を閉塞する方向に指示部材を付勢するバネとから構成したものであり、その全体の構成により、「インジケーターを、掃除機本体の集塵室よりも前方に配設することにより、集塵室の集塵容積が減少するのを防止できる。また、インジケーターが臨む表示部を、インジケーターが配設される空間の上方または上方角部の集塵蓋より前方位置に形成したので、掃除中に使用者が塵埃が溜まったことを容易に視認でき、使用性を向上できる。」（段落００２６）というものである。
　しかし、このようなインジケーターは、引用文献２の電気掃除機にも記載されているように本件特許の出願前公知のものにすぎず、かつ、明細書に記載された発明の効果も請求項１に係る発明に対する効果と変わらないものであるので、本件請求項３に係る発明についても、当業者には容易になし得たとするのが相当である。
　
３．以上によれば、本件請求項１〜３に係る発明は、いずれも、引用文献１及び２に記載された発明に基づき当業者が容易に発明をすることができたものというほかなく、特許法第２９条第２項の規定により特許を受けることができないものである。
 　
〔４〕結び
　以上のとおりであるから、本件請求項１乃至請求項３に係る発明についての特許は、特許法第１１３条第２号に該当し取り消されるべきものである。
　よって、結論のとおり決定する。
【異議決定日】
平成１４年２月２１日（２００２．２．２１）
【訂正の要旨】
　本件訂正請求は、特許請求の範囲の請求項１〜請求項３を下記のように訂正するとともに、請求項の訂正に伴い、発明の詳細な説明の対応箇所（段落０００６、０００７、０００８）を、特許請求の範囲の記載と整合するように訂正するものである。
「請求項１
　前部に
上面を開口した
前記集塵室の前壁
集塵室前壁
　請求項２
　前部に
上面を開口した
前記集塵室の前壁
集塵室前壁
　請求項３
　前部に
上面を開口した
前記集塵室の前壁
集塵室前壁
（５４）【発明の名称】
電気掃除機
（５７）【特許請求の範囲】
　【請求項１】　前部に
上面を開口した
前記集塵室の前壁
集塵室前壁
　【請求項２】　前部に
上面を開口した
前記集塵室の前壁
集塵室前壁
　【請求項３】　前部に
上面を開口した
前記集塵室の前壁
集塵室前壁
【発明の詳細な説明】
　【０００１】
　【発明の属する技術分野】
　本発明は、掃除機本体内の集塵量を示すインジケーターを有する電気掃除機に関する。
　【０００２】
　【従来の技術】
　従来、集塵量を示すインジケーターを備えた電気掃除機においては、インジケーターを集塵室上部や電動送風機収納室上部に配設したものが一般的であった。
　【０００３】
　しかしながら、例えば特開平４−２１５７３５号公報（Ａ４７Ｌ　９／１９）に開示される如く、集塵室上方を覆う集塵蓋にインジケーターを配設した場合、インジケーターを配設するスペースのために、集塵容量が小さくなる欠点があると共に、インジケーターを支持する部品が必要となり、部品点数が多くなる問題があった。
　【０００４】
　また、例えば特開平４−２４０４２５号公報（Ａ４７Ｌ　９／１９）に示される如く、掃除機本体後方の電動送風機収納室上方にインジケーターを設けた場合、掃除中、使用者はインジケーターから最も離れた場所にいるため、インジケーターを目視しにくい欠点があった。
　【０００５】
　【発明が解決しようとする課題】
　本発明は、上記欠点に鑑みなされたもので、部品点数を増加させたり集塵容積を減少させることなく、集塵量を視認しやすい電気掃除機を提供することを課題とする。
　【０００６】
　【課題を解決するための手段】
　本発明の第１の手段は、前部に
上面を開口した
前記集塵室の前壁
集塵室前壁
　【０００７】
　本発明の第２の手段は、前部に
上面を開口した
前記集塵室の前壁
集塵室前壁
　【０００８】
　本発明の第３の手段は、前部に
上面を開口した
前記集塵室の前壁
集塵室前壁
　【０００９】
　【実施の形態】
　本発明の実施の形態を図面に基づいて以下に詳述する。
　【００１０】
　１は掃除機本体で、前方に集塵袋２を収納する集塵室３、後方に電動送風機を収納する電動送風機収納室４を各々形成している。５は前記集塵室３の前壁６に形成された吸気口、７は前記吸気口５近傍に形成され、前記集塵袋２の口板８を前記吸気口５に圧接する方向に係止するクランプである。９は前記集塵室３の前壁６に形成された連通孔で、後述するインジケーター１９のチューブ２４が配設されて、インジケーター１９の筒状部材２０内と集塵室３内とを連通している。
　【００１１】
　１０は前記集塵室３の上面開口部を開閉自在に覆う集塵蓋で、該集塵蓋１０の裏面には、前記クランプ７に当接するリブ１１が垂設されており、集塵袋２を集塵室３に装着しない状態で集塵蓋１０を閉塞しようとした場合、前記クランプ７が集塵室３内側へ回動しているため、前記リブ１１がクランプ７に当接して集塵蓋１０が閉塞しないようになっている。
　【００１２】
　１２は前記掃除機本体１の吸気口５前部に取り付けられるフロントカバーで、前記吸気口５に連通するホース接続口１３を形成し、該ホース接続口１３に蛇腹ホース１４を着脱自在に接続するようになっており、掃除機本体１の吸気口５前部とフロントカバー１２との間のホース接続口１３上方位置に、後述するインジケーター１９を収納する収納室を形成している。１５は前記フロントカバー１２に形成された端子で、前記蛇腹ホース１４に形成された接続端子が接続されることにより、蛇腹ホース１４を介して図示しない床用吸込具に収納される電動機へ電源が供給されるようになっている。
　【００１３】
　１６は前記フロントカバー１２の裏側に形成された支持リブで、フロントカバー１２を掃除機本体１の取り付けることにより、該支持リブ１６と掃除本体１との間で後述するインジケーター１９を挟持するようになっている。
　【００１４】
　１７は前記フロントカバー１２に形成された吸気孔で、集塵袋２に塵埃が充満して前記掃除機本体１内が負圧になると、後述するインジケーター１９が作動し、吸気孔１７から外気が流入するようになっている。１８は前記フロントカバー１２の上方角部に開口形成された表示窓で、後述するインジケーター１９が作動して指示部材２５が摺動した際に、指示部材２５が表示窓１８に位置し、使用者が塵埃の蓄積を視認することができるようになっている。
　【００１５】
　１９は前記掃除機本体１のフロントカバー１２との空間に配設されたインジケーターで、透明な筒状部材２０、該筒状部材２０の一端（前記フロントカバー１２の吸気孔１７側）に配設され吸込孔２１を有する弾性材製のキャップ２３、前記筒状部材２０の他端に配設され、前記集塵室３前壁６の連通孔９に接続されるチューブ２４、前記筒状部材２０内に摺動自在に配設された指示部材２５、及び前記指示部材２５をキャップ２３の吸込孔２１に付勢するバネ２６とから構成されている。
　【００１６】
　２７は前記指示部材２５に形成された断面十字型のリブで、前記キャップ２３の吸込孔２１に嵌合し、指示部材２５の傾きを防止し、キャップ２３と指示部材２５との間に隙間が生じることによる空気漏れを防止するようになっている。
　【００１７】
　図７に示す従来例の如く、指示部材２８に、キャップ２９の吸込孔３０に嵌合する凸部３１を形成した場合、集塵室３が負圧になり指示部材２８が摺動する際に、外気が凸部３１に当たって指示部材２８が集塵室３側へ移動するが、指示部材２８とキャップ２９との間に若干の隙間が生じた時点で、凸部３１に当たった外気が指示部材２８の面Ａに当たることなく隙間から集塵室３へ流入し、それ以上摺動しなくなるが、本実施例では、断面十字型のリブ２７を形成したことにより、図７に示す如く、指示部材２８に凸部３１を形成した場合に比べて、指示部材２５の面Ｂ、即ち外気を受ける面積が大きくなり（図６及び図８の斜線部）、指示部材２５の摺動性が向上する。
　【００１８】
　而して、インジケーター１９を、集塵室３前壁６の連通孔９にチューブ２４を接続した状態に配設し、フロントカバー１２を取り付ける。この状態で、フロントカバー１２の吸気口１７がインジケーター１９の吸込孔１２に対応し、フロントカバー１２の表示窓１８にインジケーター１９の筒状部材２０が臨むと共に、インジケーター１９は集塵室３前壁６とフロントカバー１２の支持リブ１６との間で挟持される。
　【００１９】
　そして、掃除中、集塵室３の集塵袋２内に塵埃が充満し、電動送風機の吸気側が負圧になると、指示部材２５が筒状部材２０内で摺動して集塵室３側へ移動し、これに伴い、外気が指示部材２５とキャップ２３の吸込孔２１との隙間から流入し、電動送風機の過熱を防止する。
　【００２０】
　指示部材２５の傾きを防止するための規制部材として、断面十字型のリブ２７を形成したことにより、指示部材２５が若干集塵室３側へ摺動した状態での、外気の当たる面積Ｂが大きくなるため、指示部材２５のさらなる摺動が容易になる。
　【００２１】
　上記構成によると、インジケーター１９は、集塵室３前壁６とフロントカバー１２との間の空間に配設されるため、集塵室３の集塵容量を減少させることがないと共に、インジケーター１９はフロントカバー１２により支持されるので、インジケーター１９を固定するための部品が不要となり、部品点数が削減される。
　【００２２】
　また、表示窓１８がフロントカバー１２の上方角部に形成されているため、掃除中に使用者の最も近い場所となり、使用者の視認性が向上する。さらに、掃除中に使用者が位置する掃除機本体１に対する前方斜め上方位置からインジケーター１９を視認でき、従って、吸気口５上方のデッドスペースを利用して掃除機本体１の集塵室３前方部分を大型化することなく、インジケーター１９を収納することができる。
　【００２３】
　尚、上記実施の形態では、表示窓１８をフロントカバー１２の上方角部に形成したが、フロントカバー１２の上面に形成してもよい。
　【００２４】
　【発明の効果】
　本発明の請求項１の構成によれば、インジケーターを、掃除機本体の集塵室よりも前方に配設することにより、集塵室の集塵容積が減少するのを防止できる。また、インジケーターが臨む表示部を、インジケーターが配設される空間の上方または上方角部の集塵蓋より前方位置に形成したので、掃除中に使用者が塵埃が溜まったことを容易に視認でき、使用性を向上できる等の効果を奏する。
　【００２５】
　本発明の請求項２の構成によれば、インジケーターを、掃除機本体の集塵室よりも前方に配設することにより、集塵室の集塵容積が減少するのを防止できる。また、インジケーターが臨む表示部を、インジケーターが配設される空間の上方または上方角部の集塵蓋より前方位置に形成したので、掃除中に使用者が塵埃が溜まったことを容易に視認でき、使用性を向上できる。さらに、インジケーターを掃除機本体前部とカバーとの間で挟持することにより、インジケーターを支持する部品を必要とせず、部品点数を削減できる等の効果を奏する。
　【００２６】
　本発明の請求項３の構成によれば、インジケーターを、掃除機本体の集塵室よりも前方に配設することにより、集塵室の集塵容積が減少するのを防止できる。また、インジケーターが臨む表示部を、インジケーターが配設される空間の上方または上方角部の集塵蓋より前方位置に形成したので、掃除中に使用者が塵埃が溜まったことを容易に視認でき、使用性を向上できる等の効果を奏する。
【図面の簡単な説明】
　【図１】
　本発明の実施の形態を示す電気掃除機の要部断面図である。
　【図２】
　同フロントカバーの正面図である。
　【図３】
　同図２におけるＡ−Ａ断面矢視図である。
　【図４】
　同図２におけるＢ−Ｂ断面矢視図である。
　【図５】
　同インジケーターの分解斜視図である。
　【図６】
　同指示部材の外気を受ける面積を示す図である。
　【図７】
　従来例を示すインジケーターの分解斜視図である。
　【図８】
　同指示部材の外気を受ける面積を示す図である。
　【符号の説明】
　１　　　　掃除機本体
　３　　　　集塵室
　５　　　　吸気口
　１２　　　フロントカバー
　１３　　　ホース接続口
　１８　　　表示窓（表示部）
　１９　　　インジケーター